(57)【要約】【課題】  簡単な構成で、取り扱い時の安全性を確保することができる紙裁断機用スライダーを提供する。【解決手段】  紙裁断機のレールに挿通される挿通孔１１ａを有するハウジング１１と、ハウジング１１の内部に支軸１６を介して回転自在に取り付けられたカッター刃１２とを備え、カッター刃１２の一部がハウジング１１の下方に突出するように構成された紙裁断機用スライダー１０において、可撓性を有し互いに間隔をあけて起立する一対のアーム部２０ａ，２０ａが設けられた安全カバー２０を更に備え、安全カバー２０は、一対のアーム部２０ａ，２０ａ間に支軸１６を保持した状態においてカッター刃１２の下部を収容する収容部２０ｄと、収容部２０ｄの両側に延びてカッター刃１２の刃先１２ａと当接する段部とを有する。【選択図】  図１
2006321011.tif 000002
【特許請求の範囲】
【請求項１】
紙裁断機のレールに挿通される挿通孔を有するハウジングと、前記ハウジングの内部に支軸を介して回転自在に取り付けられたカッター刃とを備え、前記カッター刃の一部が前記ハウジングの下方に突出するように構成された紙裁断機用スライダーにおいて、
可撓性を有し互いに間隔をあけて起立する一対のアーム部が設けられた安全カバーを更に備え、
前記安全カバーは、一対の前記アーム部間に前記支軸を保持した状態において前記カッター刃の下部を収容する収容部と、該収容部の両側に延びて前記カッター刃の刃先と当接する段部とを有する、紙裁断機用スライダー。
【請求項２】
一対の前記アーム部の先端部には、互いに対向するように係合片がそれぞれ設けられており、
前記係合片は、前記アーム部の先端側から基部に向けて内方に傾斜する受け部を有している請求項１に記載の紙裁断機用スライダー。
【請求項３】
前記安全カバーにおける一対の前記アーム部を挟んだ両側には、前記ハウジングの側壁下端と係合する係合溝が設けられている請求項１又は２に記載の紙裁断機用スライダー。
【請求項４】
裁断される紙が載置される載置台と、
前記載置台の側縁に沿って延びるように支持されたレールとを備え、
請求項１から３のいずれかに記載の紙裁断機用スライダーが前記レールに挿通された紙裁断機。
【発明の詳細な説明】
【技術分野】
【０００１】
本発明は、紙裁断機用スライダー及び紙裁断機に関する。
【背景技術】
【０００２】
紙裁断機に使用されるカッター刃の取り扱いを容易にし、安全性を確保しているものとして、例えば、特許文献１に開示されたカッター刃カセット及びカセット装着具が知られている。これらの構成を以下に添付図面を参照して説明する。図６は、従来のカッター刃カセットを装着したカセット装着具の側面図である。
【０００３】
このカッター刃カセット及びカセット装着具は、図６に示すように、カッター刃カセット１１９がカセット装着具１２０に装着された状態で、図示しない紙裁断機の紙載置台上に設けられたレールに沿って移動可能に取り付けられたスライダーに取り付けられるように構成されている。
【０００４】
カッター刃カセット１１９は、底面が開口したハウジング１２２と、ハウジング１２２の開口から一部を突出させて回動自在に設けられている円板状のカッター刃１０６と、カッター刃１０６に当接されてカッター刃１０６と同心線上に回動自在に設けられている保護板１２６とを備えている。保護板１２６は、カッター刃１０６の径より大きい大径円弧部１２６ａ及びカッター刃１０６の径より小さい小径円弧部１２６ｂを有し、大径円弧部１２６ａがカッター刃カセット１１９から突出した状態（図６の状態）でカッター刃１０６を覆っているが、保護板１２６を回動させて大径円弧部１２６ａをカッター刃カセット１１９に収容することでカッター刃１０６を露出させることができる。
【０００５】
カセット装着具１２０は、底面が開口した箱形の枠体１２８と、枠体１２８の開口から一部を突出させて回動自在に設けられている略半円状の円弧板１３０と、ストッパ１３５とを備えている。枠体１２８の側面には、挿通孔１２８ａが形成されている。挿通孔１２８ａには、カセット装着具１２０がスライダーに取り付けられたときに、スライダーに設けられたピン（図示せず）が挿通されるようになっている。円弧板１３０は、カッター刃カセット１１９がカセット装着具１２０に装着された状態で、保護板１２６と連動するように構成されている。ストッパ１３５は、軸部１３８と先端部に形成された凸部１３５ａとを有し、軸部１３８を中心として挿通孔１２８ａと略同心線上に回動するように枠体１２８の内部に設けられている。凸部１３５ａは、円弧板１３０の周縁部に形成された溝１３０ｂに係合することにより、円弧板１３０を回動させないようにしている。軸部１３８には、図７に示すように、周方向に傾斜するテーパ面１３８ａが形成され、カセット装着具１２０がスライダーに取り付けられたときに、スライダー１２０に設けられたピンがテーパ面１３８ａに圧接されるようになっている。
【０００６】
上述したカッター刃カセット１１９及びカセット装着具１２０は、カッター刃カセット１１９をカセット装着具１２０に装着した状態においては、図６に示すように、円弧板１３０がストッパ１３５により係止されて回動できないようになっている。このカセット装着具１２０をスライダーに取り付けることにより、スライダーに設けられたピンが挿通孔１２８ａに挿通される。そして、前記ピンがストッパ１３５の軸部１３８に形成されたテーパ面１３８ａに圧接され、ストッパ１３５が回動して溝３０ｂから離れる。これにより、円弧板１３０を回動させることができるようになり、連動する保護板１２６を回動させてカッター刃１０６を露出させることができる。
【特許文献１】特開２０００−４２９７９号公報
【発明の開示】
【発明が解決しようとする課題】
【０００７】
ところが、従来の構成によれば、上記のようにカッター刃１０６を露出させるための構成が繁雑なものになっていた。また、スライダーに取り付けた状態でカッター刃１０６が露出しているか否かを視覚的に判別しにくいため、カッター刃カセット１１９及びカセット装着具１２０の取り外しを行う際に、刃が露出した状態で作業を行うおそれがあった。
【０００８】
そこで、本発明は、簡単な構成で、取り扱い時の安全性を確保することができる紙裁断機用スライダー及び紙裁断機を提供することを目的とする。
【課題を解決するための手段】
【０００９】
本発明の前記目的は、紙裁断機のレールに挿通される挿通孔を有するハウジングと、前記ハウジングの内部に支軸を介して回転自在に取り付けられたカッター刃とを備え、前記カッター刃の一部が前記ハウジングの下方に突出するように構成された紙裁断機用スライダーにおいて、可撓性を有し互いに間隔をあけて起立する一対のアーム部が設けられた安全カバーを更に備え、前記安全カバーは、一対の前記アーム部間に前記支軸を保持した状態において前記カッター刃の下部を収容する収容部と、該収容部の両側に延びて前記カッター刃の刃先と当接する段部とを有する、紙裁断機用スライダーにより達成される。
【００１０】
この紙裁断機用スライダーにおいて、一対の前記アーム部の先端部には、互いに対向するように係合片がそれぞれ設けられていることが好ましく、前記係合片は、前記アーム部の先端側から基部に向けて内方に傾斜する受け部を有していることが好ましい。
【００１１】
また、前記安全カバーにおける一対の前記アーム部を挟んだ両側には、前記ハウジングの側壁下端と係合する係合溝が設けられていることが好ましい。
【００１２】
また、本発明の前記目的は、裁断される紙が載置される載置台と、前記載置台の側縁に沿って延びるように支持されたレールとを備え、上述した紙裁断機用スライダーが前記レールに挿通された紙裁断機により達成される。
【発明の効果】
【００１３】
本発明によれば、簡単な構成で、取り扱い時の安全性を確保することができる紙裁断機用スライダー及び紙裁断機を提供することができる。
【発明を実施するための最良の形態】
【００１４】
以下、本発明の一実施形態について添付図面を参照して説明する。図１は、本実施形態に係る安全カバーを有する紙裁断機用スライダーの断面図である。尚、以下の説明においては、紙裁断機用スライダーによる紙裁断方向を前後方向といい、紙裁断方向と直交する方向を左右方向という。
【００１５】
図１に示すように、スライダー１０は、ハウジング１１、支軸１６、カッター刃１２、補強板１３、回転体１４及び安全カバー２０を備えている。
【００１６】
ハウジング１１は、底面が開口しており、ハウジング１１の前側面及び後側面には、挿通孔１１ａ、１１ａ（図１では一方のみを図示）が形成されている。挿通孔１１ａ、１１ａには、後述する紙裁断機１に備えられたレール６が挿通され、これによって、スライダー１０がレール６に沿って移動自在に支持される。ハウジング１１の内部には、支軸１６が左右方向に延びるように固定されている。支軸１６には、カッター刃１２、補強板１３及び回転体１４が回転自在に挿通されている。
【００１７】
カッター刃１２は、円板状に形成され、ハウジング１１の下方に一部を突出させている。カッター刃１２の両側には、円板状の補強板１３および回転体１４がそれぞれ配置されており、これらは一体化されている。回転体１４の外周面には、ゴムリング１５が装着されている。また、支軸１６は、一端側に係止リング１８が設けられており、係止リング１８と補強板１３との間にコイルばね１７が挿通されている。コイルばね１７は、カッター刃１２を図１の左方向に付勢している。
【００１８】
安全カバー２０は、図１から図３に示すように、底面が開口した直方体状に形成されている。安全カバー２０の上面中央部には、一対の可撓性のアーム２０ａ、２０ａが設けられている。アーム２０ａ、２０ａの先端部には、係合片２０ｆ、２０ｆが互いに対向するように設けられている。係合片２０ｆ、２０ｆは、アーム２０ａ、２０ａの先端側から基部に向けて内方に傾斜する受け部２０ｇ、２０ｇと、受け部２０ｇ、２０ｇの内方端から外側に向けて円弧状に形成された係止部２０ｈ、２０ｈとを有している。
【００１９】
安全カバー２０の上面において一対のアーム２０ａ、２０ａを挟んだ両側には、それぞれ係合溝２０ｃ、２０ｃが形成されている。安全カバー２０の側面には、補強板１３の形状に対応するように形成された切欠部２０ｂと、切欠部２０ｂの下方に形成された収容部２０ｄと、収容部２０ｄの両側からそれぞれ円弧状に延びるように形成された段部２０ｅ、２０ｅとを有している。
【００２０】
安全カバー２０をスライダー１０に取り付ける際には、受け部２０ｇ、２０ｇを支軸１６に当接させ、カッター刃１２の直下に収容部２０ｄが位置する状態で、安全カバー２０を押し上げる。これにより、一対のアーム２０ａ、２０ａの間隔がスムーズに拡げられ、係合片２０ｆ、２０ｆの下方において、一対のアーム２０ａ、２０ａの間に支軸１６が保持される。このとき、一対のアーム２０ａ、２０ａは、安全カバー２０の挿入方向を案内するガイドの役割を果たすので、安全カバー２０の切欠部２０ｂに補強板１３が収容され、カッター刃１２がハウジング１１から突出する部分のうち、下部が収容部２０ｄに確実に収容されると共に、他の部分の刃先１２ａが段部２０ｅ、２０ｅに確実に当接する。また、安全カバー２０の係合溝２０ｃ、２０ｃは、ハウジング１１の前後の側壁下部とそれぞれ係合する。
【００２１】
一方、安全カバー２０をスライダー１０から取り外す際には、安全カバー２０の側面を掴んで引き下げることにより、係合片２０ｆ、２０ｆと支軸１６との当接によりアーム２０ａ、２０ａが押し広げられ、安全カバー２０を取り外すことができる。
【００２２】
このように、本実施形態のスライダー１０によれば、安全カバー２０の取り付け時に、一対のアーム２０ａ、２０ａの間に支軸１６が保持される構成とすることにより、カッター刃１２がハウジング１１から突出する部分の刃先１２ａを収容部２０ｄ及び段部２０ｅ，２０ｅに確実に案内することができるので、簡単な構成で、取り扱い時の安全性を確保できる。
【００２３】
また、アーム２０ａ、２０ａの先端部に係合片２０ｆ、２０ｆを設け、この係合片２０ｆ、２０ｆに上述した受け部２０ｇ、２０ｇを設けることにより、安全カバー２０の取り付けを容易に行うことができる。
【００２４】
更に、安全カバー２０の取り付け時に、ハウジング１１の側壁下部が係合溝２０ｃ、２０ｃと係合するように構成することで、安全カバー２０の前後方向のがたつきを防止することができ、取り付け状態を確実に保持することができる。
【００２５】
次に、上記のように構成されたスライダーを有する本発明の一実施形態に係る紙裁断機について説明する。図４及び図５に示すように、紙裁断機１は、紙載置台２、一対の取付部材３，４、紙押さえ板５及びレール６を備えており、レール６に上述したスライダー１０が取り付けられている。
【００２６】
紙載置台２は、裁断する紙が載置される載置面２ａを上面に有しており、前後方向の両側に取付部材３，４がそれぞれ取り付けられている。取付部材３，４は、載置面２ａ上に側縁に沿って紙押さえ板５を保持しており、この側縁から外方に張り出す支持部３ａ，４ａをそれぞれ備えている。支持部３ａ，４ａは、棒状のレール６が挿通される貫通孔３ｂ，４ｂをそれぞれ有している。一方の支持部３ａには、スライドレバー３ｃが設けられており、スライドレバー３ｃの操作により、ばね力を利用したレール６の挟持又は解放が行われ、レール６を着脱することができる。
【００２７】
レール６にスライダー１０を装着する際には、スライドレバー３ｃの操作により、支持部３ａへのレール６の固定を解除して、レール６を後側にスライドさせる。ついで、スライダー１０のゴムリング１５を押さえ板５上に載せた状態で、レール６をハウジング１１の孔１１ａ、１１ａに挿通する。次に、スライダー１０に取り付けられている安全カバー２０の側面を掴んで引き下げ、スライダー１０から安全カバー２０を取り外す。そして、カッター刃１２の側面を紙載置台２の側縁に当接した状態で、レール６を支持部３ａに取り付ける。これにより、スライダー１０がレール６に沿って移動自在に取り付けられて裁断可能となる。
【００２８】
裁断終了後は、一対のアーム２０ａ、２０ａの間に支軸１６が保持されるように、安全カバー２０を再び取り付ける。スライダー１０がレール６に取り付けられた状態においては、カッター刃１２が紙載置台２の側縁と当接しており、カッター刃１２を安全カバー２０の収容部２０ｄに収容することができないため、カッター刃１２が安全カバー２０の側面と紙載置台２との間に挟持されるように、安全カバー２０を取り付ける。支軸１６の軸方向に沿った安全カバー２０の移動は係止リング１８により規制され、紙載置台２の側縁と安全カバー２０の側面との間隙を十分小さい状態で保持することができるので、裁断作業時において手先がカッター刃１２に接触することが防止される。
【００２９】
このように、本実施形態の紙裁断機１によれば、スライダー１０が紙裁断機１に取り付けられた状態においても安全カバー２０によりカッター刃１２を保護することができ、作業の安全性を確保することができる。
【図面の簡単な説明】
【００３０】
【図１】本発明の一実施形態に係る紙裁断機用スライダーの断面図である。
【図２】図１に示す紙裁断機用スライダーの安全カバーの側面図である。
【図３】図２におけるＡ−Ａ断面図である。
【図４】本発明の一実施形態に係る紙裁断機の斜視図である。
【図５】図４に示す紙裁断機の要部断面図である。
【図６】従来のカッター刃カセットを装着したカセット装着具の側面図である。
【図７】図６のカセット装着具の要部斜視図である。
【符号の説明】
【００３１】
１  紙裁断機
２  紙載置台
３，４  取付部材
５  紙押さえ板
６  レール
１０  スライダー
１１  ハウジング
１１ａ  挿通孔
１２  カッター刃
１２ａ  刃先
１３  補強板
１４  回転体
１５  ゴムリング
１６  支軸
１７  コイルばね
１８  係止リング
２０  安全カバー
２０ａ  アーム
２０ｂ  切欠部
２０ｃ  係合溝
２０ｄ  収容部
２０ｅ  段部
２０ｆ  係合片
２０ｇ  受け部
２０ｈ  係止部
【図１】
2006321011.tif 000003
【図２】
2006321011.tif 000004
【図３】
2006321011.tif 000005
【図４】
2006321011.tif 000006
【図５】
2006321011.tif 000007
【図６】
2006321011.tif 000008
【図７】
2006321011.tif 000009